(57)【要約】      （修正有）【課題】  台所にある所定の家庭用電気調理機器に、家庭内の複数の電気製品の情報を表示することによって、台所に居ながら、家庭内の各所にある複数の電気製品からの情報を、すぐ側にある家庭用電気調理機器のモニター部で、適切に監視制御することができる家庭用電気調理機器の提供。【解決手段】  所定の家庭用電気調理機器４９と周囲の各種電気製品４２〜５６，６２の各々に情報の送信又は受信が可能な通信手段を設ける一方、所定の家庭用電気調理機器４９に各種電気製品４２〜５６，６２からの情報を受信して表示するモニター部２１を設け、該モニター部２１によって各種電気製品４２〜５６，６２からの情報を監視制御することができるようにした。  この構成により、ユーザーは、台所に居ながら、家庭内の各所にある複数の電気製品の情報を、すぐ側にある家庭用電気調理機器のモニター部で、適切に監視制御することができ、情報の内容に応じ措置を取ることができる。【選択図】        図２
2005342079.tif 000002
【特許請求の範囲】
【請求項１】
所定の家庭用電気調理機器と同所定の家庭用電気調理機器周囲の各種電気製品の各々に情報の送信又は受信が可能な通信手段を設ける一方、所定の家庭用電気調理機器に各種電気製品からの情報を直接的又は間接的に受信して表示するモニター部を設け、該モニター部によって各種電気製品からの情報を監視コントロールすることができるようにしたことを特徴とする家庭用電気調理機器。
【請求項２】
対応する電気製品が、玄関に設置されたテレビ型ドアホンであり、モニター部では、同テレビ型ドアホンからの映像情報および音声情報が再生されるようになっているとともに、来客に対して音声での対応が可能となっていることを特徴とする請求項１記載の家庭用電気調理機器。
【請求項３】
所定の家庭用電気調理機器が、マイコン式の電気炊飯器であることを特徴とする請求項１又は２記載の家庭用電気調理機器。
【請求項４】
所定の家庭用電気調理機器を含む全電気製品の内の何れかの電気製品が、通常の異常状態ではない特別な異常状態である情報を発した場合には、複数又は全ての電気製品から、報知手段による報知を発生させるようにしたことを特徴とする請求項１，２又は３記載の家庭用電気調理機器。
【請求項５】
特別な異常が発生している電気製品の電源を遮断制御することができるようになっていることを特徴とする請求項４記載の家庭用電気調理機器。
【請求項６】
電気炊飯器が待機中であっても、他の電気製品からの情報が受信されると、自動的にモニター部がＯＮ作動されるようになっていることを特徴とする請求項１，２，３，４又は５記載の家庭用電気調理機器。
【発明の詳細な説明】
【技術分野】
【０００１】
本願発明は、周囲にある複数の電気製品の情報を表示できるようにした家庭用電気調理機器に関するものである。
【背景技術】
【０００２】
最近では家電製品その他の各種電気製品（以下、単に電気製品という）の多くにマイクロプロセッサが搭載されるようになり、その多機能化が進んでいる。また、パーソナルコンピュータを中心とする通信技術の進展に伴って、パーソナルコンピュータと電気製品とを相互に接続して必要なデータの交換を行うことも実用化されつつある。例えば電子レンジ（マイクロ波加熱調理器）のような比較的高機能の調理用電気製品においては、そのようなネットワークを介してレシピを取得するといったコンピュータ通信技術の応用が提案され、一部の製品では実用化されるようになっている。
【０００３】
このような状況の下にあって、例えば電気炊飯器や電気ポットのような家庭用電気調理機器間においても家庭内でのネットワーク化が検討され、例えば用途上相互に関連する電気炊飯器と電気ポットの各々に相互に通信可能な通信手段を設け、電気ポット側の残湯量検知情報を電気炊飯器側の液晶表示部に表示するとともに、残湯量が少なく、給水が必要になっている場合には同電気炊飯器側の音声アラーム手段等を使ってユーザーに対して給水警告を出すようにしたものが提案されている（特許文献１参照）。
【０００４】
このような構成によれば、ユーザーは、電気炊飯器の炊飯開始又は炊飯予約設定操作を行ったときに、電気ポットの保温中の残湯量をその場で知ることができ、食事時に必要なお湯を予じめ再沸とう又は給水、湯沸しすることによって準備して置くことができる。
【０００５】
しかも、それを電気ポット側の湯量計を見るまでもなく、電気炊飯器側の炊飯設定操作のみで知ることができるので便利である。
【０００６】
【特許文献１】特開２００１−３３３８５９号公報（第１−６頁、図１−１０）
【発明の開示】
【発明が解決しようとする課題】
【０００７】
しかし、該従来の電気炊飯器の場合、単に用途上関連する電気ポットと１対１で対応させて、「ご飯」の炊き上り時刻に対応して「お茶」が飲めるような状態にして置こうとするものにすぎない。
【０００８】
したがって、例えばテレビ型ドアホンや監視カメラその他の特に用途上関連しない機器の場合には、全く情報を表示することができない。
【０００９】
一般にテレビ型ドアホンや監視カメラなどのモニターは、居間などに設置されているのが通常であり、主婦が居る時間の長いキッチン周りからは相当の距離はなれている。
【００１０】
そのため、セールスマン等が来てドアホンが鳴る度にキッチンからモニター部まで、濡れた手を拭いて出て行く必要があり、非常に不便である。また、キッチンに居る時は、監視カメラの映像をモニターすることができない。
【００１１】
また、一般に各種電気製品、特に加熱用の電気調理機器などには異常時のアラーム手段が付加されているものが多いが、該アラーム手段は、その製品単独のものであるにすぎず、仮にアラームが発せられたとしても、当該製品の周囲にユーザーが居ない場合には、有効に対処することができない。
【００１２】
本願発明は、このような事情に対応してなされたもので、通常キッチン周りにある所定の家庭用電気調理機器に対して、家庭内にある複数の電気製品の情報を表示できるようにすることによって、上述のような従来の問題を解決することを目的とするものである。
【課題を解決するための手段】
【００１３】
本願発明は、上記の目的を達成するために、次のような課題解決手段を備えて構成されている。
【００１４】
（１）  第１の課題解決手段
この発明の第１の課題解決手段は、所定の家庭用電気調理機器と同所定の家庭用電気調理機器周囲の各種電気製品の各々に情報の送信又は受信が可能な通信手段を設ける一方、所定の家庭用電気調理機器に各種電気製品からの情報を直接的又は間接的に受信して表示するモニター部を設け、該モニター部によって各種電気製品からの情報を監視コントロールすることができるようにしたことを特徴としている。
【００１５】
このような構成によれば、ユーザーは、キッチン周りに居ながら、用途に関係なく家庭内の各所にある複数の電気製品の各々からの情報を、すぐ側にある家庭用電気調理機器のモニター部で、適切に監視コントロールすることができ、得られた情報の内容に応じて任意の対応措置を取ることができる。
【００１６】
（２）  第２の課題解決手段
この発明の第２の課題解決手段は、上記第１の課題解決手段の構成において、対応する電気製品が、玄関に設置されたテレビ型ドアホンであり、モニター部では、同テレビ型ドアホンからの映像情報および音声情報が再生されるようになっているとともに、来客に対して音声での対応が可能となっていることを特徴としている。
【００１７】
このような構成によれば、ユーザーは、キッチンで台所仕事をしながら、すぐ側にある家庭用電気調理機器のモニター部で、玄関のテレビ型ドアホンからの来客の映像情報および音声情報を確認し、相手の顔を見ながら自由に話をすることができる。
【００１８】
したがって、従来のような不便が解消される。
【００１９】
（３）  第３の課題解決手段
この発明の第３の課題解決手段は、上記第１又は第２の課題解決手段の構成において、所定の家庭用電気調理機器が、マイコン式の電気炊飯器であることを特徴としている。
【００２０】
マイコン式電気炊飯器の場合、比較的高機能な調理用電気製品であり、本来の調理機能の面からも映像および音声モニター機能を有効に活用することができる。
【００２１】
しかも、どの家庭でも最もキッチン周りに普通に安定して設置されており、最近の製品では前面側の操作表示パネルも大きく、操作、確認も容易である。
【００２２】
したがって、上述のような機能を具備したモニター手段として利用するのに適している。
【００２３】
（４）  第４の課題解決手段
この発明の第４の課題解決手段は、上記第１，第２又は第３の課題解決手段の構成において、所定の家庭用電気調理機器を含む全電気製品の内の何れかの電気製品が、通常の異常状態ではない特別な異常状態である情報を発した場合には、複数又は全ての電気製品から、報知手段による報知を発生させるようにしたことを特徴としている。
【００２４】
このように構成すると、ユーザーが何処に居ようと、何れかの電気製品に特別な異常が生じていることを略確実に知らせることができる。
【００２５】
（５）  第５の課題解決手段
この発明の第５の課題解決手段は、上記第４の課題解決手段の構成において、特別な異常が発生している電気製品の電源を遮断制御することができるようになっていることを特徴としている。
【００２６】
このような構成によると、例えば家庭用電気加熱調理機器や電気ファンヒータなどの加熱手段を備えた電気製品の安全性を確実にバックアップすることができるようになる。
【００２７】
（６）  第６の課題解決手段
この発明の第６の課題解決手段は、上記第１，第２，第３，第４又は第５の課題解決手段の構成において、電気炊飯器が待機中であっても、他の電気製品からの情報が受信されると、自動的にモニター部がＯＮ作動されるようになっていることを特徴としている。
【００２８】
このような構成によれば、省エネ性能を異常状態しながら、モニター機能の応答性を確保することができる。
【発明の効果】
【００２９】
以上の結果、本願発明によると、テレビ型ドアホンや監視カメラその他の調理に関連しない各種電気製品の情報をも所定の家庭用電気調理機器のモニター部でモニターし、異常時への措置も含めて必要な対応をキッチン部分で取ることができるようになる。
【００３０】
したがって、１日の内でもキッチン周りでの生活時間が長い主婦にとって非常に便利なものとなる。
【発明を実施するための最良の形態】
【００３１】
図１ないし図６は、本願発明を実施するための最良の実施の形態に係る家庭用電気調理機器および同家庭用電気調理機器を用いた電気製品情報集中表示・コントロールシステムの構成を示している。
【００３２】
この最良の実施の形態の場合、各種電気製品の情報を集中表示する所定の家庭用電気調理機器として、例えばマイコン式の電気炊飯器が最適なものとして選ばれており、同電気炊飯器に対して、対応する各種家電製品その他の複数の電気製品からの情報をステーションコントローラを介して間接的に受信して表示するモニター部を設け、該モニター部によって各種電気製品からの情報を監視し、適切にコントロールすることができるようにしたことを特徴としている。
【００３３】
そこで、先ず当該マイコン式電気炊飯器を使用してなされる電気製品情報集中表示・コントロールシステム自体の構成の概略を説明し、その上で同システムにおいて使用されるマイコン式電気炊飯器の要部の構成と作用を説明する。
【００３４】
（電気製品情報集中表示・コントロールシステムの構成・・・図１、図２参照）
すなわち、先ず図１は、当該マイコン式の電気炊飯器を含む各種電気製品が使用されている一般的な家庭の電気製品設置状態を示している。
【００３５】
この家庭の場合、例えば１階に、玄関ポーチ４０Ａ、玄関ロビー４０Ｂ、浴室（図示省略）、ダイニングルーム４０Ｃ、キッチン４０Ｄがあり、２階に、子供部屋４０Ｅ、寝室４０Ｆ、家族部屋４０Ｇがある。
【００３６】
そして、玄関ポーチ４０Ａの左側の壁にはテレビ型のドアホン４１があり、該ドアホン４１はダイニングルーム４０Ｃのドアホンモニター４３に接続されていて、ドアホン４１のビデオカメラおよびマイクロホンからの映像および音声情報（姿と声）をドアホンモニター４３側に送って映像および音声の両方で再生する一方、ドアホンモニター４３側の送話器から音声情報（声）をドアホン４１側のスピーカーに送って音声で再生するようになっている。これにより、来客との会話が可能となっている。
【００３７】
ダイニングルーム４０Ｃには、上記ドアホンモニター４３の他に、テレビジョン４２、ホットプレート４４、電気ポット４５、エアコン４６があり、またキッチン４０Ｄには電気冷蔵庫４７、電子レンジ４８、マイコン式電気炊飯器４９がある。
【００３８】
また、１階の玄関ロビー４０Ｂの壁の向う側の図示しない浴室内には、破線で示すように電気洗濯機５０が置かれている。
【００３９】
さらに、２階の子供部屋４０Ｅには、オーディオ機器５１、エアコン５２があり、また家族部屋４０Ｇには、電気ファンヒータ５３、電気ポット５４、テレビジョン５５、マイナスイオン発生機５６等がある。また家族部屋４０Ｇ外側の壁には、玄関先周囲を監視する監視カメラ６２が設置されている。
【００４０】
これらの各種電気製品４１〜５６，６２の各々には、必要なアラーム手段（報知手段）とともに、後述するステーションコントローラ５７を介して相互に情報の送信又は受信が可能な無線通信手段が設けられている。
【００４１】
他方、寝室４０Ｆの壁部には、上述した各種の電気製品４１〜５６，６２の各々と相互にワイヤレス通信可能に構成され、それら各種電気製品４１〜５６，６２の異常状態を含む作動情報を入力し得るとともに、必要なリモートコントロール制御（異常時のアラーム発生制御、電源遮断など）を行う家庭内情報コントロールセンターとしてのステーションコントローラ５７が設置されている。
【００４２】
このステーションコントローラ５７は、この実施の形態の場合、上記各種電気製品４１〜５６，６２の内の特にキッチン４０Ｄの流し台部分にある後述のマイコン式電気炊飯器４９とは特別な送受信関係に設定されており、当該マイコン式電気炊飯器４９に対して自己を含む全ての電気製品４１〜５６，６２の上述した情報をモニター部２１に映像およびキャラクター表示することができるように構成されている。
【００４３】
また、同ステーションコントローラ５７は、家庭側情報端末としてＡＤＳＬモデム（非対称デジタル加入者線接続用モデム）５８を介して外部インターネット回線５９に接続されるようになっている。そして、所定の契約情報サービスを提供するプロバイダーとの契約によって決定される所定の回線事業者６０を介して、自己又は家族の携帯電話６１と双方向通信可能に接続されるようになっている。
【００４４】
一方、上記電気炊飯器４９は、例えば図３に示すように、上記映像およびキャラクター表示機能を具備したモニター部２１に加え、マイクロホン３５およびスピーカ３６を備え、上記ステーションコントローラ５７を介して上記携帯電話６１との会話も可能となっている。この会話は、また上述したドアホン４１およびドアホンモニター４３とステーションコントローラ５７を介してドアホン４１側の来客と行うこともでき、さらには該ドアホン４１側来客との会話を上記携帯電話６１側に転送することによって同ドアホン４１側来客と携帯電話６１側家族とを直接対話させることも可能となっている。
【００４５】
このように構成された本電気製品情報表示・コントロールシステムの全体をブロック図にして示すと、図２のようになる。
【００４６】
（電気炊飯器本体部分の構成・・・図３〜図６参照）
すなわち、先ず当該電気炊飯器４９の炊飯器本体は、例えば図３に示すように、内部に誘起されるうず電流によって自己発熱が可能な例えばステンレス鋼板等の磁性金属板よりなる内鍋(飯器ないし保温容器)３と、該内鍋３を任意にセットし得るように形成された合成樹脂製の有底筒状の保護枠（内ケース）４と、該保護枠（内ケース）４を保持する外部筺体である有底筒状の外ケース１と、該外ケース１と上記保護枠（内ケース）４とを一体化して形成された炊飯器器体Ａの上部に開閉可能に設けられた蓋ユニット（蓋）２とから構成されている。
【００４７】
上記保護枠（内ケース）４の底壁部（底部）４ａの下方側にはコイル台７が設けられ、その上部には、フェライトコアを介し、上記内鍋３の底壁部（底部）３ａの中央部と側方部および内鍋３の側壁部３ｂの各位置に対応して各々リッツ線が同心状に巻成された３組のワークコイルＣ1，Ｃ2，Ｃ3が、それぞれ内鍋３の底壁部３ａから側壁部３ｂに到る略全体を包み込むように設けられており、それらにより通電時には内鍋３の略全体にうず電流を誘起して、その全体を略均一に加熱するようになっている。そして、該ワークコイルＣ1，Ｃ2，Ｃ3は、それぞれ相互に直列に接続されている。そして、その一端は、整流回路および平滑回路を介したワークコイル駆動回路の電源ラインに、また他端は同回路中のＩＧＢＴ（パワートランジスタ）にそれぞれ接続されている。
【００４８】
また、上記側壁部側ワークコイルＣ3の上方部には、保温時において加熱手段として機能する保温ヒータＨ1が設けられており、保温時において上記内鍋３の全体を有効かつ均一に加熱するようになっている。
【００４９】
さらに、上記肩部材１１の肩部内周側には、肩ヒータＨ2が設けられている。
【００５０】
また、上記保護枠（内ケース）４およびコイル台７の前方部側には、上記ワークコイルＣ1，Ｃ2，Ｃ3、保温ヒータＨ1、肩ヒータＨ2等を駆動制御する上記ＩＧＢＴやヒータ駆動回路、マイコン制御ユニット、電源電圧整流用のダイオードブリッジよりなる整流回路、平滑回路などを備えた制御基板６Ａおよび制御基板収納ボックス５Ａが上下立設状態で設けられている。
【００５１】
また上記外ケース１は、例えば合成樹脂材で形成された上下方向に筒状のカバー部材１ａと、該カバー部材１ａの上端部に結合された合成樹脂製の肩部材１１と、上記カバー部材１ａの下端部に一体化された合成樹脂製の底部材１ｂとからなり、かつ上記保護枠（内ケース）４の底壁部４ａとの間に所定の広さの断熱および通風空間部を形成した全体として有底の筒状体に構成されている。そして、該外ケース１の前面部上方には、例えば図４に示すような略半月形状の操作パネル部２０が設けられている。
【００５２】
該操作パネル部２０面には、十分に広く大きな表示面積をもつ映像表示が可能な高精細の液晶画面よりなるモニター部２１と、炊飯スイッチ２２ａ、タイマー予約スイッチ２２ｂ、取消スイッチ２２ｃ、保温スイッチ２２ｄ、再加熱スイッチ２２ｅ、メニュー選択スイッチ２２ｆ、時スイッチ２２ｇ、分スイッチ２２ｈ等の炊飯又は保温機能設定用の各種入力スイッチに加え、その上部に位置して、炊飯機能と関係のない外部モニター機能選択用のＯＮ，ＯＦＦスイッチ（ＯＮ（選択）、ＯＦＦ（非選択））３１、会話選択スイッチ３２、転送スイッチ３３、留守録スイッチ３４、省電力無線方式の送受信アンテナ３０、マイクロホン３５、スピーカ３６が設けられている。
【００５３】
以上の各種スイッチ２２ａ〜２２ｈ、３１〜３４の内、例えば外部モニター機能選択スイッチ３１がＯＮ操作されると、モニター部２１の表示内容が図４から図５のように切り替わって上述したドアホン４１からの情報のモニターが可能となり、さらに会話選択スイッチ３２がＯＮ操作されると、上記マイクロホン３５、スピーカ３６を利用して同ドアホンモニター状態での来客との会話が可能となる。また留守録スイッチ３４を必要に応じてＯＮ操作すると、同来客の伝言がメモされる。また、ドアホンモニター状態で転送スイッチ３３をＯＮ操作すると、同来客の会話を上述した家族の携帯電話６１に転送することができる。
【００５４】
さらに、上記外ケース１内の上記操作パネル部２０の内側部分（裏側空間）には、上記制御基板６Ａの上端側位置から斜め前方に下降する格好で、例えばマイコン基板６Ｂが傾斜設置されている。このマイコン基板６Ｂは、上記モニター部２１や各種入力スイッチ２２ａ〜２２ｈ、３１〜３４が設けられた操作基板部と、その下方側にあって、円形をなすマイコンのバックアップ用電源電池の設置部（ランド部）を有するマイコン用電源基板部とからなっている。
【００５５】
一方、符号２は蓋ユニットであり、該蓋ユニット２は、その外周面を構成する合成樹脂製の外カバー１２と、該外カバー１２と内枠１４との間に設けられた金属製の断熱構造体１３と、該断熱構造体１３の内側にパッキン１７を介して設けられた金属製の内カバー１５と、該内カバー１５の下方に設けられた金属製の放熱板１６とによって内側が中空の断熱構造体に形成されている。また、上記断熱構造体１３は上下２枚の金属板１３ａ，１３ｂを閉断面構造に対向させて一体化することにより形成されている。
【００５６】
この蓋ユニット２は、上記外ケース１上部の肩部材に対してヒンジ機構を介して回動自在に取付けられており、その開放端側には、該蓋ユニット２の所定位置に係合して該蓋ユニット２の上下方向への開閉を行うロック機構１８が設けられている。
【００５７】
一方、上記制御基板６Ａ上のマイコン制御ユニット（図示省略）には、上記入力スイッチ２２ａ〜２２ｈを介して入力されたユーザーの指示内容を判断する所望の認識手段が設けられており、該認識手段で認識されたユーザーの指示内容に応じて所望の炊飯又は蒸し、保温機能、所望の炊飯又は蒸し、保温メニュー、それら炊飯又は蒸し、保温メニューに対応した所定の加熱出力、加熱パターンを設定して、その炊飯加熱制御手段又は保温加熱制御手段としてのマイコン制御ユニット４２を適切に作動させて所望の炊飯又は蒸し、保温を行う。
【００５８】
また同マイコン制御ユニットには、外部モニター機能選択スイッチ３１がＯＮ操作されると、外部モニター機能選択指令信号が入力され、例えば上述したステーションコントローラ５７を介してドアホンモニター４３との情報の送受信が可能となり、ドアホン４１からの来客情報（映像／音声）がドアホンモニター４３、ステーションコントローラ５７を介して受信されるようになる。
【００５９】
その結果、例えば上記操作パネル部２０のモニター部２１の表示が、図４のような炊飯機能設定対応状態から、図５のようなドアホン情報モニター状態に切り替わり、来客の映像が写し出されるとともに、スピーカ３６から来客の声が出力される。
【００６０】
そして、この状態で上記会話選択スイッチ３２をＯＮ操作すると、マイクロホン３５を介して当該来客との会話を行うことができる。したがって、台所で炊事をしながら、当該電気炊飯器４９を全く通常のテレビ型ドアホンモニター４３と同様に使用することができる。しかも、この場合、マイクロホン３５、スピーカ３６が共に電気炊飯器４９本体側にビルトインされており、ドアホンモニター４３のように受話器を取らなくても良いので、手を拭く必要もなく非常に便利である。
【００６１】
さらに、この状態において、例えば来客の用件をメモる必要があるような場合には、上記留守録スイッチ３４をＯＮ操作すると、現在の来客の姿と会話の内容が映像と音声の両方で記録される。
【００６２】
この留守録機能は、もちろん外出時などにも活用することができ、例えば留守録スイッチ３４をＯＮ状態にして外出すれば、留守中に尋ねて来た人の映像と用件の内容を確実に録画、録音して置くことができ、帰宅後、再び留守録スイッチ３４をＯＮして再生確認することができる。
【００６３】
また、このようにして記録された映像および音声情報は、例えば上述の携帯電話６１により、ネット回線事業者６０、インターネット回線５９、ＡＤＳＬモデム５８を介して上記ステーションコントローラ５７にアクセスし、コール転送させることにより外出先からモニターすることもできる。したがって、留守中においても自宅への訪問者を管理することができ、緊急時の用件にも速やかに対応することができる。
【００６４】
さらに、また本実施の形態では、上記留守録機能の他に、上記携帯電話６１への情報転送機能が付加されている。
【００６５】
したがって、例えば上記会話選択スイッチ３２をＯＮ操作して会話応対した結果、その来客が自分以外の家族への訪問客であったような場合には、転送スイッチ３３を押す。
【００６６】
すると、上記ステーションコントローラ５７、ＡＤＳＬモデム５８、インターネット回線５９、ネット回線事業者６０を介して登録されている家族の携帯電話６１にそのままリアルタイムで転送され、同家族は携帯電話６１とドアホン４１により直接来客と会話することができる。
【００６７】
この転送機能は、また上記留守録機能と組み合わせることができ、留守録スイッチ３４と転送スイッチ３３の両方をＯＮにしておいて外出すると、ドアホン４１による訪問客の会話を全て携帯電話６１に転送させて外出先で直接応対することもできる。そして、その内容の記録も可能である。
【００６８】
上記留守録の記録手段としては、例えばメモリスティック等が使用される。
【００６９】
また、この実施の形態の場合、上記の構成において、上記所定の家庭用電気調理機器である電気炊飯器４９を含む全電気製品の内の何れかの電気製品４１〜５６，６２が、通常の異常状態ではない特別な異常状態である情報を発した場合には、上記ステーションコントローラ５７が、全ての電気製品４１〜５６，６２の警報手段を使用してアラームを発生させるとともに、図６のようにモニター部２１に異常が生じている製品名を文字表示するようになっている。
【００７０】
したがって、ユーザーが何処に居ようと、何れかの電気製品に特別な異常が生じていることを略確実に知らせることができ、その対称製品をも知らせることができる。
【００７１】
また、その場合において、ステーションコントローラ５７は、特別な異常が発生している電気製品４１〜５６，６２の電源を遮断制御する。
【００７２】
したがって、例えば加熱調理機器やファンヒータなどの加熱手段を備えた電気製品の安全性を確実にバックアップすることができるようになる。
【００７３】
さらに、以上の構成において、電気炊飯器４９が炊飯待機中であっても、他の電気製品４１〜４８、５０〜５６，６２からの情報が受信されると、自動的に上記モニター部２１がＯＮ作動されるようになっている。
【００７４】
そして、それによって、省エネ性能を維持しながら、モニター機能の応答性を確保することができるようにしている。
【００７５】
以上のように、この発明の最良の実施の形態の構成では、所定の家庭用電気調理機器と同所定の家庭用電気調理機器周囲の各種電気製品の各々に情報の送信又は受信が可能な通信手段を設ける一方、所定の家庭用電気調理機器に対応する各種電気製品からの情報を受信表示するモニター部を設け、該モニター部によって各種電気製品からの情報を監視コントロールすることができるようにしたことを特徴としている。
【００７６】
このような構成によれば、ユーザーは、キッチン周りに居ながら、用途に関係なく家庭内の各所にある複数の電気製品の各々からの情報を、すぐ側にある家庭用電気調理機器のモニター部で、適切に監視コントロールすることができ、得られた情報の内容に応じて任意の対応措置を取ることができる。
【００７７】
またこの構成では、上記の構成において、対応する電気製品が、例えば玄関に設置されたテレビ型ドアホンであり、モニター部では、同テレビ型ドアホンからの映像情報および音声情報が再生されるようになっているとともに、来客に対して音声での対応が可能となっていることを特徴としている。
【００７８】
このような構成によれば、ユーザーは、キッチンで台所仕事をしながら、すぐ側にある家庭用電気調理機器のモニター部で、玄関のテレビ型ドアホンからの来客の映像情報および音声情報を確認し、相手の顔を見ながら自由に話をすることができる。
【００７９】
したがって、従来のような不便が解消される。
【００８０】
また、同構成では、上記の各構成において、所定の家庭用電気調理機器が、マイコン式の電気炊飯器であることを特徴としている。
【００８１】
マイコン式電気炊飯器の場合、比較的高機能な調理用電気製品であり、本来の調理機能の面からも映像および音声モニター機能を有効に活用することができる。
【００８２】
しかも、どの家庭でも最もキッチン周りに普通に安定して設置されており、最近の製品では前面側の操作表示パネルも大きく、操作、確認も容易である。
【００８３】
したがって、上述のような機能を具備したモニター手段として利用するのに適している。
【００８４】
また、同構成では、上記の各構成において、所定の家庭用電気調理機器を含む全電気製品の内の何れかの電気製品が、通常の異常状態ではない特別な異常状態である情報を発した場合には、全ての電気製品から報知手段による報知を発生させるようにしたことを特徴としている。
【００８５】
このように構成すると、ユーザーが何処に居ようと、何れかの電気製品に特別な異常が生じていることを略確実に知らせることができる。
【００８６】
また、同構成では、上記の各構成において、特別な異常が発生している電気製品の電源を遮断制御するようになっていることを特徴としている。
【００８７】
このような構成によると、例えば家庭用電気加熱調理機器やファンヒータなどの加熱手段を備えた電気製品の安全性を確実にバックアップすることができるようになる。
【００８８】
さらに、同構成では、上記の構成において、電気炊飯器が待機中であっても、他の電気製品からの情報が受信されると、自動的にモニター部がＯＮ作動されるようになっていることを特徴としている。
【００８９】
このような構成によれば、省エネ性能を維持しながら、モニター機能の応答性を確保することができる。
【００９０】
これらの結果、この発明の最良の実施の形態の構成によると、テレビ型ドアホンや監視カメラその他の調理に関連しない各種電気製品の情報をも所定の家庭用電気調理機器のモニター部でモニターし、異常時への措置も含めて必要な対応をキッチン部分で取ることができるようになる。
【００９１】
したがって、１日の内でもキッチン周りでの生活時間が長い主婦にとって非常に便利なものとなる。
【００９２】
（その他の実施の形態）
（１）  システム構成について
以上の構成では、家庭内情報ステーションとしてのステーションコントローラ５７を中心とし、該ステーションコントローラ５７と所定の家庭用電気調理機器である電気炊飯器４９を含む各種電気製品４１〜５６，６２とを相互に通信可能な状態にセットし、ステーションコントローラ５７を介して間接的に各電気製品４１〜５６，６２からの情報を電気炊飯器４９のモニター部２１で確認、対応できるようにした。
【００９３】
このような構成の場合、電気炊飯器４９側のマイコン容量を必要以上に大きくすることなく、また送受信機能も余り高精度なものにしなくても足り、炊飯器製品価格の上昇を招くことなく、比較的容易に実現することができる。
【００９４】
しかし、一方ステーションコントローラ５７を必要とするなどシステムが大がかりなものになる。
【００９５】
そこで、そのような欠点を改善するために、例えば電気炊飯器４９そのものにステーションコントローラ機能を付加し、電気炊飯器４９と各電気製品４１〜４８、５０〜５６，６２の各々とが直接情報の送受信を行えるようにすることも可能である。この場合、ＡＤＳＬモデム５８はなくても良いが、必要ならば同電気炊飯器４９と接続するようにすればよい。
【００９６】
このような構成によっても、上述の最良の実施の形態の構成の場合と略同様の作用効果を得ることができる。
【００９７】
（２）  所定の家庭用電気調理機器について
以上の最良の実施の形態の構成では、所定の家庭用電気調理機器としてマイコン式電気炊飯器を選択した。
【００９８】
これは、マイコン式電気炊飯器の場合、比較的高機能な調理用電気製品であり、本来の調理機能の面からも映像および音声モニター機能を有効に活用することができる。
【００９９】
しかも、どの家庭でも最もキッチン周りに普通に安定して設置されており、最近の製品では前面側の操作表示パネルも大きく、操作、確認も容易である。
【０１００】
したがって、上述のような機能を具備したモニター手段として利用するのに適していると判断したからである。
【０１０１】
しかし、最近では電気ポット４５，５４や電子レンジ４８、電気圧力調理鍋などにも、相当に大きな液晶画面が採用されるようになってきている。したがって、これら電気ポットや電子レンジ、電気圧力調理鍋に対して、上述の電気炊飯器４９と同様のモニター部２１、マイクロホン３５、スピーカ３６などを設けると、同様の作用効果を得ることができる。
【０１０２】
もちろん、これら以外にも例えば電気冷蔵庫４７などは、ドア部の面積が広く、表面は殆ど使用されていないので、ドア部正面に上述のものと同様のモニター部２１、マイクロホン３５、スピーカ３６等を設けると、より操作、確認しやすい状態で同様の機能を実現することができる。
【０１０３】
（３）  監視カメラについて
テレビ型ドアホン４１に代えて、監視カメラ６２の映像をモニター、記録するようにしてもよいことは言うまでもない。
【図面の簡単な説明】
【０１０４】
【図１】本願発明の最良の実施の形態に係る家庭用電気調理機器を用いた電気製品情報集中表示・コントロールシステムを採用した家庭内全体の構成（電気製品設置状態）を示す概略図である。
【図２】本願発明の最良の実施の形態に係る家庭用電気調理機器を用いた電気製品情報集中表示・コントロールシステムのシステム部の構成を示すブロック図である。
【図３】本願発明の最良の実施の形態に係る家庭用電気調理機器としての電気炊飯器の本体部分の構成を示す一部切欠側面図である。
【図４】同電気炊飯器のモニター部を備えた操作パネル部分の炊飯機能設定対応状態の正面図である。
【図５】同電気炊飯器のモニター部を備えた操作パネル部分のドアホンモニター機能状態の正面図である。
【図６】同電気炊飯器のモニター部を備えた操作パネル部分の異常報知機能状態の正面図である。
【符号の説明】
【０１０５】
２０は操作パネル、２１はモニター部、４１はドアホン、４２はテレビジョン、４３はドアホンモニター、４４はホットプレート、４５は電気ポット、４６はエアコン、４７は電気冷蔵庫、４８は電子レンジ、４９は電気炊飯器、５０は電気洗濯機、５１はオーディオ機器、５２はエアコン、５３は電気ファンヒータ、５４は電気ポット、５５はテレビジョン、５６はマイナスイオン発生機、５７はステーションコントローラ、５８はＡＤＳＬモデム、５９はインターネット回線、６０はネット回線事業者、６１は携帯電話、６２は監視カメラである。
【図１】
2005342079.tif 000003
【図２】
2005342079.tif 000004
【図３】
2005342079.tif 000005
【図４】
2005342079.tif 000006
【図５】
2005342079.tif 000007
【図６】
2005342079.tif 000008